【手続補正書】
【提出日】平成15年7月24日(2003.7.24)
【手続補正１】
【補正対象書類名】明細書
【補正対象項目名】特許請求の範囲
【補正方法】変更
【補正の内容】
【特許請求の範囲】
【請求項１】
密閉容器内に封入された重金属を遠心力により１つの塊状にした後、重金属量検出器内に投入して重金属量を測定することを特徴とする密閉容器内の重金属量の測定方法。
【請求項２】
回転円盤の円周面上に形成された密閉容器収容穴に重金属が封入された密閉容器を投入し、前記回転円盤を回転させることにより、前記密閉容器内に封入された重金属を遠心力により１つの塊状にすることを特徴とする請求項１記載の密閉容器内の重金属量の測定方法。
【請求項３】
重金属が封入された密閉容器を投入する複数の密閉容器収容穴が円周面上に等間隔に形成された回転円盤と、この回転円盤を前記密閉容器収容穴の形成間隔の角度で回動させる回動動作及び前記密閉容器内の重金属に遠心力を与えて１つの塊状にするよう回転させる回転動作で駆動する駆動手段と、前記回転円盤の円周面上を覆い、前記回転円盤の直径方向に前記密閉容器が通過できる投入穴と取り出し穴とが設けられた円盤カバーおよび前記円盤カバーを前記回転円盤の回転軸方向に移動させる移動機構を有した密閉容器回転手段と、前記密閉容器回転手段に連接して配設され、前記回転円盤を回転動作させた後の回動動作により前記円盤カバーの取り出し穴から取り出された密閉容器が通過することにより、前記通過した密閉容器内の重金属量を検出する重金属量検出手段とを具備してなることを特徴とする密閉容器内の重金属量の測定装置。
【請求項４】
重金属量検出手段による検出値に対応して密閉容器を分別する分別手段を具備してなることを特徴とする請求項３記載の密閉容器内の重金属量の測定装置。
【手続補正２】
【補正対象書類名】明細書
【補正対象項目名】０００６
【補正方法】変更
【補正の内容】
【０００６】
【課題を解決するための手段】
本発明に係る密閉容器内の重金属量の測定方法は、密閉容器内に封入された重金属を遠心力により１つの塊状にした後、重金属量検出器内に投入して重金属量を測定することを特徴とする。


【手続補正３】
【補正対象書類名】明細書
【補正対象項目名】０００８
【補正方法】変更
【補正の内容】
【０００８】
上記発明において、回転円盤の円周面上に形成された密閉容器収容穴に重金属が封入された密閉容器を投入し、前記回転円盤を回転させることにより、前記密閉容器内に封入された重金属を遠心力により１つの塊状にすると好適である。
【手続補正４】
【補正対象書類名】明細書
【補正対象項目名】０００９
【補正方法】変更
【補正の内容】
【０００９】
この密閉容器内の重金属量の測定方法によれば、重金属が封入された密閉容器は回転円盤の回転による遠心力を受けることになるので、密閉容器内に封入された重金属は１つの塊状になる。従って、この処理を受けた後の密閉容器を重金属量検出器内に投入したときの検出値が正確にでるので、重金属量の測定が正確になされる。


【手続補正５】
【補正対象書類名】明細書
【補正対象項目名】００１０
【補正方法】変更
【補正の内容】
【００１０】
本発明に係る密閉容器内の重金属量の測定装置は、重金属が封入された密閉容器を投入する複数の密閉容器収容穴が円周面上に等間隔に形成された回転円盤と、この回転円盤を前記密閉容器収容穴の形成間隔の角度で回動させる回動動作及び前記密閉容器内の重金属に遠心力を与えて１つの塊状にするよう回転させる回転動作で駆動する駆動手段と、前記回転円盤の円周面上を覆い、前記回転円盤の直径方向に前記密閉容器が通過できる投入穴と取り出し穴とが設けられた円盤カバーおよび前記円盤カバーを前記回転円盤の回転軸方向に移動させる移動機構を有した密閉容器回転手段と、前記密閉容器回転手段に連接して配設され、前記回転円盤を回転動作させた後の回動動作により前記円盤カバーの取り出し穴から取り出された密閉容器が通過することにより、前記通過した密閉容器内の重金属量を検出する重金属量検出手段とを具備してなることを特徴とする。


【手続補正６】
【補正対象書類名】明細書
【補正対象項目名】００１１
【補正方法】変更
【補正の内容】
【００１１】
この密閉容器内の重金属量の測定装置によれば、密閉容器回転手段内には複数の密閉容器を収容することができるので、多数の密閉容器を同時に高速回転させて密閉容器内に封入された重金属を１つの塊状にすることができる。密閉容器回転手段による処理が終了した後、回転円盤を密閉容器収容穴が形成された角度毎に回動させると、密閉容器は円盤カバーに形成された取り出し穴から１つづつ取り出すことができ、これを重金属量測定手段内に通過させる。重金属量検出手段は密閉容器内に封入された重金属の量に対応する検出値を出力するので、この検出値を重金属量が既知の密閉容器を前記重金属量検出手段に通したときの検出値と比較して、重金属量を演算して重金属量を求めることができる。


【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
上記発明において、重金属検出手段による検出値に対応して密閉容器を分別する分別手段を設けると、重金属量検出手段は密閉容器内に封入された重金属の量に対応する検出値を出力するので、この検出値を所定の閾値で区分して、分別手段により密閉容器は封入された重金属量によって分別されることになる。分別された密閉容器は、それぞれの密閉容器収容手段に受入れられる。この測定装置によれば、密閉容器内の重金属量が正確に測定できると共に、測定された重金属量によって密閉容器を分別する作業を自動的に処理することができる。


【手続補正９】
【補正対象書類名】明細書
【補正対象項目名】００２７
【補正方法】変更
【補正の内容】
【００２７】
【発明の効果】
以上の説明の通り、本発明に係る密閉容器内の重金属量の測定方法によれば、密閉容器内に封入された重金属を遠心力により１つの塊状にする処理を行った後、密閉容器を重金属量検出器に投入するので、重金属量の測定が正確になされる。


【手続補正１０】
【補正対象書類名】明細書
【補正対象項目名】００２８
【補正方法】変更
【補正の内容】
【００２８】
また上記発明において、回転円盤の円周面上に形成された密閉容器収容穴に重金属が封入された密閉容器を投入し、前記回転円盤を回転させることにより、前記密閉容器内に封入された重金属を遠心力により１つの塊状にするようにすれば、大量の作業が短時間に、かつ正確に実施でき、さらに、装置の自動化も容易となる。
【手続補正１１】
【補正対象書類名】明細書
【補正対象項目名】００２９
【補正方法】変更
【補正の内容】
【００２９】
本発明に係る密閉容器内の重金属量の測定装置によれば、密閉容器回転手段内には複数の密閉容器を収容することができるので、多数の密閉容器を同時に高速回転させて密閉容器内に封入された重金属を遠心力で１つの塊状にすることができる。密閉容器回転手段による処理が終了した後、回転円盤を密閉容器収容穴が形成された角度毎に回動させると、密閉容器は円盤カバーに形成された取り出し穴から１つづつ取り出せ、これを重金属量測定手段内に通過させることができる。重金属量検出手段は密閉容器内に封入された重金属の量に対応する検出値を出力するので、この検出値を重金属量が既知の密閉容器を前記重金属量検出手段に通したときの検出値と比較して、重金属量を演算して重金属量を求めることができる。


【手続補正１２】
【補正対象書類名】明細書
【補正対象項目名】００３０
【補正方法】変更
【補正の内容】
【００３０】
上記発明において、重金属量検出手段による検出値に対応して密閉容器を分別する分別手段を設ければ、測定された重金属量によって密閉容器を分別するので、測定から分別までの一貫した自動化も可能になる。